【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
方法であって、
ディスプレイ上のプレゼンテーション表面上に提示するためにモンタージュを受けるステップであって、前記モンタージュが複数のプレゼンテーション・タイルと基準レイアウトとを含み、前記プレゼンテーション表面が格子を含みパンニング方向を有する、ステップと、
前記パンニング方向に垂直な固定格子ディメンションが、前記基準レイアウトにおける対応する格子ディメンションよりも前記ディスプレイ上において小さいときを判定するステップと、
前記プレゼンテーション・タイルの互いに対する空間特徴付けを保存しつつ、前記小さい固定格子ディメンションに応答して前記格子上において前記複数のプレゼンテーション・タイルの位置を変更するステップと、
前記プレゼンテーション表面のユーザー・インターフェース・ビューに、前記変更した位置において前記複数のプレゼンテーション・タイルを提示するステップであって、各プレゼンテーション・タイルが、コンテンツ・ファイルに関連し、該コンテンツ・ファイルから取り出したコンテンツの一部を表示するように構成された、ステップと、
を含む、方法。
【請求項２】
請求項１記載の方法であって、更に、
前記基準レイアウトからプレゼンテーション・タイルの順序を決定するステップと、
前記格子の原点に、第１プレゼンテーション・タイルを置くステップと、
前記プレゼンテーション・タイルの順序において第２プレゼンテーション・タイルを選択するステップと、
前記第１プレゼンテーション・タイルに対する前記第２プレゼンテーション・タイルについての空間特徴付けを判定するステップと、
前記空間特徴付けにしたがって、前記格子上に前記第２プレゼンテーション・タイルを置くステップと、
を含む、方法。
【請求項３】
請求項２記載の方法において、空間特徴付けが、第１方向、第２方向、または第３方向の内１つを含み、前記第３方向が右オフセットを含み、前記原点が前記格子の上角にあり、前記格子上に前記第２タイルを置くステップが、
前記第１プレゼンテーション・タイルに隣接してその右側に第１方向プレゼンテーション・タイルを置くステップと、
前記格子上に十分な余裕がある場合、前記第１プレゼンテーション・タイルの下に、第２方向プレゼンテーション・タイルを置くステップと、
前記第１プレゼンテーション・タイルの下に前記プレゼンテーション・タイルを置く十分な余裕がない場合、前記格子の最上位行におけるプレゼンテーション・タイルの右側で前記格子における第１の利用可能な列に、第２方向プレゼンテーション・タイルを置くステップと、
前記右オフセットにおける列数だけ前記第１プレゼンテーション・タイルの右に、第３方向プレゼンテーション・タイルを置き、前記第３方向プレゼンテーション・タイルおよび前記第１プレゼンテーション・タイルがオーバーラップするか否か判定するステップと、
前記第３方向プレゼンテーション・タイルおよび前記第１プレゼンテーション・タイルがオーバーラップし、かつ前記第１プレゼンテーション・タイルの下に前記第３方向プレゼンテーション・タイルを置く余裕がある場合、前記第１プレゼンテーション・タイルの下に、前記右オフセットにおける列数だけ前記第１プレゼンテーション・タイルより右に、前記第３方向プレゼンテーション・タイルを動かすステップと、
前記第３方向プレゼンテーション・タイルおよび前記第１プレゼンテーション・タイルがオーバーラップし、前記第１タイルの下に前記第３方向プレゼンテーション・タイルを置く余裕がない場合、前記格子の最上位行におけるプレゼンテーション・タイルの右側で最初に利用可能な列に、前記第３方向プレゼンテーション・タイルを動かすステップと、
を含む、方法。
【請求項４】
請求項１記載の方法であって、更に、
プレゼンテーション・タイルをモンタージュに追加することおよび前記モンタージュからプレゼンテーション・タイルを削除することの一方を行い、前記追加または削除が、前記プレゼンテーション表面に空白空間を作り、
前記プレゼンテーション・タイルの互いに対する前記空間特徴付けを保存しつつ前記空白空間を埋めるために、前記格子上において前記複数のプレゼンテーション・タイルの前記位置を変更する、
ことを含み、更に、
前記空白空間の幅に一致する幅を前記パンニング方向に有する第１チャネルを定めるステップと、
前記第１チャネルの後端エッジに先端エッジを有するタイルの連続ブロックを前記パンニング方向において特定するステップと、
前記タイルの連続ブロックの幅を有する第２チャネルを定めるステップと、
チャネル毎にカレントを割り当てるステップであって、カレントが固定ディメンションと整列され、前記隣接チャネルのカレントが逆方向に流れる、ステップと、
前記プレゼンテーション・タイルの順序で各タイルを選択するステップと、
選択された前記タイルを前記カレントに沿ってできるだけ遠くまで動かすステップと、
を含む、方法。
【請求項５】
命令を含む記憶媒体を構成する製造品であって、前記命令を実行すると、請求項１、２、３、または４のいずれか１項に記載の方法をシステムに実行させる、製造品。
【請求項６】
装置であって、
格子とパンニング方向とを含むプレゼンテーション表面上にモンタージュを提示するために第１ユーザー・インターフェース・ビューを生成するように動作するプレゼンテーション・コンポーネントを含むモンタージュ・アプリケーションを実行するように構成された論理デバイスであって、前記モンタージュが複数のプレゼンテーション・タイルと基準レイアウトとを含み、前記プレゼンテーション・コンポーネントが、更に、
ディスプレイ上の前記プレゼンテーション表面における前記パンニング方向に垂直な固定格子ディメンションが、前記基準レイアウトにおける対応する格子ディメンションよりも前記ディスプレイ上において小さいときを判定し、
前記固定格子ディメンションに対する変更を決定するために、前記プレゼンテーション表面の前記固定格子ディメンションにおける格子ブロックの数を、前記基準レイアウトの前記対応する格子ディメンションにおける格子ブロックの数と比較し、
前記プレゼンテーション・タイルの互いに対する空間特徴付けを保存しつつ、前記固定格子ディメンションに対する前記変更に基づいて前記格子上において前記複数のプレゼンテーション・タイルの位置を変更し、
前記プレゼンテーション表面の前記第１ユーザー・インターフェース・ビューに、前記変更した位置において前記複数のプレゼンテーション・タイルを提示する、
ように動作する、
論理デバイスと、
オーサリング・コンポーネントであって、該オーサリング・コンポーネントが、前記モンタージュにおけるプレゼンテーション・タイルの追加または削除によって空白空間が作られたときに、前記プレゼンテーション・タイルの互いに対する前記空間特徴付けを保存しつつ前記空白空間を埋めるために、前記格子上の前記複数のプレゼンテーション・タイルの前記位置を変更するように動作し、これを、前記パンニング方向におけるプレゼンテーション・タイルの連続グループを特定して該プレゼンテーション・タイルの連続グループを前記固定ディメンションにおいて中心に位置付けすることにより行う、オーサリング・コンポーネントと、
を含む装置。
【請求項７】
請求項６記載の装置において、前記プレゼンテーション・コンポーネントが、更に、
前記基準レイアウトからプレゼンテーション・タイルの順序を決定し、
前記格子の原点に、第１プレゼンテーション・タイルを置き、
前記プレゼンテーション・タイルの順序において第２プレゼンテーション・タイルを選択し、
前記第１プレゼンテーション・タイルに対する前記第２プレゼンテーション・タイルについての空間特徴付けを判定し、
前記空間特徴付けにしたがって、前記格子上に前記第２プレゼンテーション・タイルを置く、
ように動作する、装置。
【請求項８】
請求項７記載の装置において、空間特徴付けが、第１方向、第２方向、または第３方向の内１つを含み、前記第３方向が右オフセットを含み、前記原点が前記格子の上角にあり、前記プレゼンテーション・コンポーネントが、更に、
前記第１プレゼンテーション・タイルに隣接してその右側に第１方向プレゼンテーション・タイルを置き、
前記格子上に十分な余裕がある場合、前記第１プレゼンテーション・タイルの下に、第２方向プレゼンテーション・タイルを置き、
前記第１プレゼンテーション・タイルの下に前記プレゼンテーション・タイルを置く十分な余裕がない場合、前記格子の最上位行におけるプレゼンテーション・タイルの右側で前記格子における第１の利用可能な列に、第２方向プレゼンテーション・タイルを置くステップと、 
前記右オフセットにおける列数だけ前記第１プレゼンテーション・タイルの右に、第３方向プレゼンテーション・タイルを置き、前記第３方向プレゼンテーション・タイルおよび前記第１プレゼンテーション・タイルがオーバーラップするか否か判定し、
前記第３方向プレゼンテーション・タイルおよび前記第１プレゼンテーション・タイルがオーバーラップし、かつ前記第１プレゼンテーション・タイルの下に前記第３方向プレゼンテーション・タイルを置く余裕がある場合、前記第１プレゼンテーション・タイルの下に、前記右オフセットにおける列数だけ前記第１プレゼンテーション・タイルより右に、前記第３方向プレゼンテーション・タイルを動かし、
前記第３方向プレゼンテーション・タイルおよび前記第１プレゼンテーション・タイルがオーバーラップし、前記第１タイルの下に前記第３方向プレゼンテーション・タイルを置く余裕がない場合、前記格子の最上位行におけるプレゼンテーション・タイルの右側で最初に利用可能な列に、前記第３方向プレゼンテーション・タイルを動かす、
ように動作する、装置。
【請求項９】
請求項６記載の装置において、前記プレゼンテーション・コンポーネントが、更に、
前記格子から任意の空の列および行を除去し、
前記プレゼンテーション・タイルの連続グループが、前記格子において固定ディメンションにおいて中央に位置付けられているか否か判定し、
前記プレゼンテーション・タイルの連続グループを前記固定ディメンションにおいて中心に位置付ける、
ように動作する、装置。
【請求項１０】
請求項６記載の装置であって、前記オーサリング・コンポーネントが更に、
前記空白空間の幅と等価の幅を前記パンニング方向に有する第１チャネルを定め、
前記第１チャネルの後端エッジに先端エッジを有するタイルの連続ブロックを前記パンニング方向において特定し、
前記タイルの連続ブロックの幅を有する第２チャネルを定め、
チャネル毎にカレントを割り当て、カレントが固定ディメンションと整列され、前記隣接チャネルのカレントが逆方向に流れ、
各タイルを順序で選択し、
チャネルにおいて前記カレント方向にタイルをできるだけ遠くまで動かす、または
前記チャネルまたは前記チャネルの先端エッジに隣接するチャネルの一方において、前記パンニング方向に前記タイルをできるだけ遠くまで動かす、
の内少なくとも１つを行う、
ように動作する、装置。